(57)【要約】  【課題】  画像表示を行う場合、撮像データを再生する際に必要な情報を解析する必要があり、高速表示が困難であった。  【解決手段】  画像記録／再生装置において、撮影した際に符号化部と復号化部の共有記録媒体１０２に属性情報を展開したまま格納する。その際、属性情報に画像属性指標を付加して格納する。一方、入力信号の撮像データを内部記録媒体１０４に記録するときに、符号化データに画像属性指標を対応付けて記録する。そして、画像データを再生するときには、内部記録媒体１０４から読み出した画像データに付属の画像属性指標に基づいて共有記録媒体１０２を検索し、対応する属性情報を取得する。属性情報は圧縮されることなく展開された状態となっていることから、復号化処理において属性情報を解析する必要がなく、解析に要する時間を省略することができ、ユーザに対する表示を迅速に行うことができる。【選択図】  図１
2005311537.tif 000002
【特許請求の範囲】
【請求項１】
記録媒体に対して画像データの記録／再生を行う画像記録／再生装置において、
前記画像データを記録する際に、復号化処理に必要な属性情報を展開状態で前記記録媒体に記録する記録手段と、
再生する際に前記記録媒体に記録された前記属性情報を参照し、前記画像データを再生する再生手段と
を備えることを特徴とする画像記録／再生装置。
【請求項２】
属性情報に画像属性指標を割り当てることで前記属性情報と前記画像属性指標を対応づけ、さらに前記画像属性指標と対応づけられた符号化データを記録する記録手段と、
再生する際には前記符号化データに対応づけられた前記画像属性指標に基づいて参照する前記属性情報を特定し、前記符号化データを復号化する復号化手段と
を備えることを特徴とする画像記録／再生装置。
【請求項３】
請求項２に記載の画像記録／再生装置において、
前記属性情報中の各属性の組み合わせごとに属性組合せ指標を対応づけ、
さらに前記記録手段は、前記属性組合せ指標と対応づけられた前記符号化データを記録し、
前記復号化手段は、前記符号化データに対応づけられた前記属性組合せ指標に基づいて参照する前記属性情報を特定し、前記符号化データを復号化することを特徴とする画像記録／再生装置。
【請求項４】
請求項２に記載の画像記録／再生装置において、
前記属性情報中の各属性に対して属性単位指標を対応づけ、
さらに前記記録手段は、前記属性単位指標と対応づけられた前記符号化データを記録し、
前記復号化手段は、前記符号化データに対応づけられた前記属性単位指標から参照する前記属性情報を特定し、復号化することを特徴とする画像記録／再生装置。
【請求項５】
請求項２に記載の画像記録／再生装置において、さらに、前記符号化データに対応する前記画像属性指標に基づいて前記属性情報を特定し、前記符号化データに特定した前記属性情報を付加することで、所定の様式に変換するヘッダー情報付加手段を備えることを特徴とする画像記録／再生装置。
【請求項６】
請求項３に記載の画像記録／再生装置において、さらに、前記符号化データに対応する前記属性組合せ指標に基づいて前記属性情報を特定し、前記符号化データに特定した前記属性情報を付加することで、所定の様式に変換するヘッダー情報付加手段を備えることを特徴とする画像記録／再生装置。
【請求項７】
請求項４に記載の画像記録／再生装置において、さらに、前記符号化データに対応する前記属性単位指標に基づいて前記属性情報を特定し、前記符号化データに特定した前記属性情報を付加することで、所定の様式に変換するヘッダー情報付加手段を備えることを特徴とする画像記録／再生装置。
【請求項８】
記録媒体に対して画像データの記録／再生を行う画像記録／再生方法において、
前記画像データを記録する際に、復号化処理に必要な属性情報を展開状態で前記記録媒体に記録する記録ステップと、
再生する際に前記記録媒体に記録された前記属性情報を参照し、前記画像データを再生する再生ステップと
を含むことを特徴とする画像記録／再生方法。
【請求項９】
属性情報に画像属性指標を割り当てることで前記属性情報と前記画像属性指標を対応づけ、さらに前記画像属性指標と対応づけられた符号化データを記録する記録ステップと、
再生する際には前記符号化データに対応づけられた前記画像属性指標に基づいて参照する前記属性情報を特定し、前記符号化データを復号化する復号化ステップと
を含むことを特徴とする画像記録／再生方法。
【請求項１０】
請求項９に記載の画像記録／再生方法において、
前記属性情報中の各属性の組み合わせごとに属性組合せ指標を対応づけ、
さらに前記記録ステップは、前記属性組合せ指標と対応づけられた前記符号化データを記録し、
前記復号化ステップは、前記符号化データに対応づけられた前記属性組合せ指標に基づいて参照する前記属性情報を特定し、前記符号化データを復号化することを特徴とする画像記録／再生方法。
【請求項１１】
請求項９に記載の画像記録／再生方法において、
前記属性情報中の各属性に対して属性単位指標を対応づけ、
さらに前記記録ステップは、前記属性単位指標と対応づけられた前記符号化データを記録し、
前記復号化ステップは、前記符号化データに対応づけられた前記属性単位指標から参照する前記属性情報を特定し、復号化することを特徴とする画像記録／再生方法。
【請求項１２】
請求項９に記載の画像記録／再生方法において、さらに、前記符号化データに対応する前記画像属性指標に基づいて前記属性情報を特定し、前記符号化データに特定した前記属性情報を付加することで、所定の様式に変換するヘッダー情報付加ステップを含むことを特徴とする画像記録／再生方法。
【請求項１３】
請求項１０に記載の画像記録／再生方法において、さらに、前記符号化データに対応する前記属性組合せ指標に基づいて前記属性情報を特定し、前記符号化データに特定した前記属性情報を付加することで、所定の様式に変換するヘッダー情報付加ステップを含むことを特徴とする画像記録／再生方法。
【請求項１４】
請求項１１に記載の画像記録／再生方法において、さらに、前記符号化データに対応する前記属性単位指標に基づいて前記属性情報を特定し、前記符号化データに特定した前記属性情報を付加することで、所定の様式に変換するヘッダー情報付加ステップを含むことを特徴とする画像記録／再生方法。
【発明の詳細な説明】
【技術分野】
【０００１】
本発明は画像記録／再生装置および画像記録／再生方法にかかわり、例えば、ディジタル画像を撮像する装置および前記撮像した画像を再生する装置に用いるのに好適なものである。
【背景技術】
【０００２】
ディジタルカメラ等の画像記録／再生装置は、撮影で取得した画像データとともに、図３０に示すように、当該画像データに関する付属情報を記録し、１つの撮像データとして、記録媒体に記録している。再生を行う際には、当該撮像データの付属情報を解析し、画像データの復号化処理を行い、ユーザに画像表示を行うとともに、付属情報を提示している。画像データに関する付属情報としては、撮影年月日、画像サイズ、撮影モード等がある。
【０００３】
また、図３１に示す従来の画像記録／再生装置は、入力信号である撮像データが供給された場合、撮像データを符号化し、記録媒体に記録する際に、符号化した撮像データのファイルヘッダー領域に付属情報を格納し、１つのファイルとして記録媒体に記録するとともに、付属情報を管理ファイルに記録している。再生時には、管理ファイルを参照し、管理ファイルで格納されている付属情報を読み出し、各撮像データのファイルヘッダー領域に格納されている付属情報を解析する処理を省いて、撮像データを効率的に再生している（例えば、特許文献１参照）。
【特許文献１】特開平６−１４９９０５号公報（第３頁、第１図）
【発明の開示】
【発明が解決しようとする課題】
【０００４】
上述のように、従来の画像記録／再生装置は、図３１に示すように撮像データのファイルヘッダー領域に格納されている付属情報を管理ファイルに記録し、再生する際に管理ファイルを参照することで、画像データを再生している。したがって、撮像データのファイルヘッダー領域にある付属情報を解析することなく画像データを再生している。
【０００５】
しかしながら、上述の画像記録／再生装置では、画像データを復号化するために必要な属性情報を解析する必要があり、画像データを再生し、画像表示を行う際に、属性情報が復号化処理に必要なパラメータおよび符号化データの開始位置等の属性情報を抽出するために、解析する／読み飛ばす時間を要し、個々の撮像データを復号化し、画像データを高速表示する処理は速くなっていない。属性情報として、画像サイズ、量子化テーブル、ハフマンテーブル等がある。
【０００６】
また、内部記録媒体を有している画像記録／再生装置において、画像データを記録する際に、規定された様式で記録するために、属性情報とともに符号化データを１つの画像データとして記録している。しかしながら、個々の画像データに記録されている属性情報には同様な属性情報が存在し、個々の画像データに対して属性情報と符号化データを記録することは、内部記録媒体を効率的に使用しているとはいえない。さらに、内部記録媒体を有する画像記録／再生装置において、属性情報を個々の画像データに格納する処理は、高速記録する処理での障害になっている。
【０００７】
本発明は、このような従来の問題点に鑑みてなされたもので、内部に記録媒体を備えたカメラ付き携帯電話、ディジタルカメラ等において、撮像データの記録処理の高速化、復号化処理の高速化、記録媒体の効率化を図ることを目的とする。
【課題を解決するための手段】
【０００８】
本発明は、上記の課題を解決するために次のような手段を講じる。すなわち、本発明では、復号化処理に必要な指標とともに属性情報を記録しておき、再生時には指標に対応する属性情報を探し、その属性情報を用いて再生を行うことを特徴とするものである。
【０００９】
本発明は、記録媒体に対して画像データの記録／再生を行う画像記録／再生装置において、前記画像データを記録する際に、復号化処理に必要な属性情報を展開状態で前記記録媒体に記録する記録手段と、再生する際に前記記録媒体に記録された前記属性情報を参照し、前記画像データを再生する再生手段とを備えた構成とされている。
【００１０】
また、本発明による画像記録／再生装置は、属性情報に画像属性指標を割り当てることで前記属性情報と前記画像属性指標を対応づけ、さらに前記画像属性指標と対応づけられた符号化データを記録する記録手段と、再生する際には前記符号化データに対応づけられた前記画像属性指標に基づいて参照する前記属性情報を特定し、前記符号化データを復号化する復号化手段とを備えた構成されている。
【００１１】
上記の装置にかかわる発明を画像記録／再生方法として、次のように展開することが可能である。本発明による画像記録／再生方法は、記録媒体に対して画像データの記録／再生を行う画像記録／再生方法において、前記画像データを記録する際に、復号化処理に必要な属性情報を展開状態で前記記録媒体に記録する記録ステップと、再生する際に前記記録媒体に記録された前記属性情報を参照し、前記画像データを再生する再生ステップとを含む構成とされている。
【００１２】
また、本発明による画像記録／再生方法は、属性情報に画像属性指標を割り当てることで前記属性情報と前記画像属性指標を対応づけ、さらに前記画像属性指標と対応づけられた符号化データを記録する記録ステップと、再生する際には前記符号化データに対応づけられた前記画像属性指標に基づいて参照する前記属性情報を特定し、前記符号化データを復号化する復号化ステップとを含む構成とされている。
【００１３】
上記において、記録媒体については、符号化データと画像属性指標とを含む画像データを格納する内部記録媒体と展開状態の属性情報をその指標とともに格納する共有記録媒体とに分けるとよい。共有記録媒体は、符号化部と復号化部とに共有のものである。各画像データの復号化処理に必要な属性情報をその指標とともに共有記録媒体に記録する一方、符号化データを前記属性情報の指標とともに内部記録媒体に記録しておく。そして、画像データの再生（復号化処理）に際しては、内部記録媒体から画像データを読み出し、読み出した画像データに含まれている前記属性情報の指標を抽出し、抽出した指標に基づいて共有記録媒体を検索して、指標に対応する属性情報を探し出し、その属性情報を用いて符号化データを復号化処理する。この場合に、共有記録媒体において属性情報は圧縮されることなく展開された状態となっていることから、属性情報を解析する処理は省くことができ、復号化処理の高速処理が可能となる。
【００１４】
上記構成の画像記録／再生装置において、次のように構成することが好ましい。
【００１５】
前記属性情報中の各属性の組み合わせごとに属性組合せ指標を対応づけ、さらに前記記録手段は、前記属性組合せ指標と対応づけられた前記符号化データを記録し、前記復号化手段は、前記符号化データに対応づけられた前記属性組合せ指標に基づいて参照する前記属性情報を特定し、前記符号化データを復号化することである。
【００１６】
これに対応する画像記録／再生方法は、前記属性情報中の各属性の組み合わせごとに属性組合せ指標を対応づけ、さらに前記記録ステップは、前記属性組合せ指標と対応づけられた前記符号化データを記録し、前記復号化ステップは、前記符号化データに対応づけられた前記属性組合せ指標に基づいて参照する前記属性情報を特定し、前記符号化データを復号化することである。
【００１７】
ここでの技術的特徴は、属性組合せ指標であって、それは、属性情報中の各属性の組み合わせごとの指標であるということである。
【００１８】
また、次のように構成することも好ましい。
【００１９】
前記属性情報中の各属性に対して属性単位指標を対応づけ、さらに前記記録手段は、前記属性単位指標と対応づけられた前記符号化データを記録し、前記復号化手段は、前記符号化データに対応づけられた前記属性単位指標から参照する前記属性情報を特定し、復号化することである。
【００２０】
これに対応する画像記録／再生方法は、前記属性情報中の各属性に対して属性単位指標を対応づけ、さらに前記記録ステップは、前記属性単位指標と対応づけられた前記符号化データを記録し、前記復号化ステップは、前記符号化データに対応づけられた前記属性単位指標から参照する前記属性情報を特定し、復号化することである。
【００２１】
ここでの技術的特徴は、属性単位指標であって、それは、属性情報中の各属性に対する指標であるということである。
【００２２】
また、外部記録媒体に記録を行う際には、内部記録媒体に画像データに記録されている指標と符号化データから、所定の様式に変換する手段を有しているものである。すなわち、上記構成の画像記録／再生装置において、さらに、前記符号化データに対応する前記画像属性指標に基づいて前記属性情報を特定し、前記符号化データに特定した前記属性情報を付加することで、所定の様式に変換するヘッダー情報付加手段を備えるものである。
【００２３】
これに対応する画像記録／再生方法は、上記構成の画像記録／再生方法において、さらに、前記符号化データに対応する前記画像属性指標に基づいて前記属性情報を特定し、前記符号化データに特定した前記属性情報を付加することで、所定の様式に変換するヘッダー情報付加ステップを備えるものである。
【００２４】
また、外部記録媒体に記録を行う際には、内部記録媒体に画像データに記録されている指標と符号化データから、所定の様式に変換する手段を有しているものである。すなわち、上記構成の画像記録／再生装置において、さらに、前記符号化データに対応する前記属性組合せ指標に基づいて前記属性情報を特定し、前記符号化データに特定した前記属性情報を付加することで、所定の様式に変換するヘッダー情報付加手段を備えるものである。
【００２５】
これに対応する画像記録／再生方法は、上記構成の画像記録／再生方法において、さらに、前記符号化データに対応する前記属性組合せ指標に基づいて前記属性情報を特定し、前記符号化データに特定した前記属性情報を付加することで、所定の様式に変換するヘッダー情報付加ステップを備えるものである。
【００２６】
また、外部記録媒体に記録を行う際には、内部記録媒体に画像データに記録されている指標と符号化データから、所定の様式に変換する手段を有しているものである。すなわち、上記構成の画像記録／再生装置において、さらに、前記符号化データに対応する前記属性単位指標に基づいて前記属性情報を特定し、前記符号化データに特定した前記属性情報を付加することで、所定の様式に変換するヘッダー情報付加手段を備えるものである。
【００２７】
これに対応する画像記録／再生方法は、上記構成の画像記録／再生方法において、さらに、前記符号化データに対応する前記属性単位指標に基づいて前記属性情報を特定し、前記符号化データに特定した前記属性情報を付加することで、所定の様式に変換するヘッダー情報付加ステップを備えるものである。
【発明の効果】
【００２８】
本発明によれば、各画像データの復号化処理に必要な属性情報を記録媒体（符号化部と復号化部の共有記録媒体）に記録し、当該画像データに関する属性情報の指標とともに画像データの符号化データを記録媒体（内部記録媒体）に記録することにより、規定の様式に従って記録する符号化処理において、撮像データの属性情報を作成する処理を省くことができ、高速な符号化処理を可能とする。
【００２９】
また、再生時には参照する属性情報は圧縮されることなく展開された状態となっていることから、属性情報を解析する処理は省くことができ、復号化処理の高速処理が可能となる。
【００３０】
さらに、符号化データとともに記録するものを属性情報の指標に制限し、属性情報は記録しないので、記録媒体の効率化が図ることができる。
【００３１】
画像データを内部記録媒体から外部記録媒体へ移すときは、ヘッダー情報付加処理により所定の様式に変換した状態で外部記録媒体に格納することができる。
【発明を実施するための最良の形態】
【００３２】
以下、本発明にかかわる画像記録／再生装置および画像記録／再生方法の実施の形態について図面を参照しながら、説明する。
【００３３】
（実施の形態１）
図１は、本発明の実施の形態１における画像記録／再生装置の構成を示すブロック図である。なお、本実施の形態に直接関係しない他の構成部位、例えば撮像デバイス、Ａ／Ｄ変換部等は図示していないが、勿論設けられている。
【００３４】
図１において、１０１は入力信号である撮像データを符号化処理により圧縮し、得られた画像データを内部記録媒体１０４に記録する符号化部、１０２は符号化／復号化する際に必要となる属性情報を格納するもので、符号化部１０１と復号化部１０３で共有される共有記録媒体、１０３は画像表示を行うために復号化処理を行う復号化部、１０４は符号化部１０１によって符号化された符号化データを記録する内部記録媒体である。１０５はシステム制御部であって、このシステム制御部１０５は、記録処理の開始指示通知、撮影通知、撮影モードへの切替え指示通知、撮影で取得した画像データの内部記録媒体１０４への記録、内部記録媒体１０４に格納されている画像データを復号化部１０３へ転送する等の制御、再生処理の開始指示等を行うように構成されている。なお、本実施の形態に直接関係しない他の構成部位の制御も勿論行っている。符号化部１０１およびシステム制御部１０５が特許請求の範囲にいう「記録手段」に対応し、復号化部１０３およびシステム制御部１０５が特許請求の範囲にいう「再生手段」に対応している。
【００３５】
図２は、図１における符号化部１０１の機能構成図である。符号化処理部２０１は、入力信号である撮像データに対して、従来技術と同様の符号化処理を行うが、その際に、符号化処理で得られる画像データの属性情報領域に格納される属性情報で復号化処理に必要な情報を保持する。以降、本実施の形態における属性情報の指標を“画像属性指標”とする。属性情報記録部２０２は、符号化処理部２０１で保持した属性情報を画像属性指標とともに共有記録媒体１０２に記録する。
【００３６】
図３は、図１における復号化部１０３の機能構成図である。属性情報処理部３０１は、画像データ内の画像属性指標に基づいて共有記録媒体１０２を検索し、記録されている属性情報を読み出す。次に復号化処理部３０２は、属性情報処理部３０１が読み出した属性情報を用いて、内部記録媒体１０４に記録されている符号化データに対して、従来技術と同様の復号化処理を行う。この場合、属性情報は圧縮されることなく展開された状態となっていることから、属性情報領域の解析を行う必要はない。
【００３７】
図４は、属性情報処理部３０１のフローチャートを示す。画像データ内の画像属性指標を読み出し、画像属性指標に基づいて共有記録媒体１０２を検索し、記録されている属性情報を読み出す（ステップＳ１）。次に、読み出した属性情報の各ヘッダー長に基づいて画像データにおける属性情報領域のスキップを行い、符号化データの先頭へ進む（ステップＳ２）。
【００３８】
図５は、記録処理を行った際に、撮影で取得した画像データとは別に復号化処理に必要な各画像データの属性情報を画像属性指標とともに共有記録媒体１０２に記録することを示す。復号化処理に必要な属性情報として、画像サイズ、ヘッダー長、量子化テーブルＩＤ、ハフマンテーブルＩＤ、成分数等がある。例えば、画像データ１が記録された際に、画像データ１の属性情報Ａとともに画像属性指標１を共有記録媒体１０２に記録し、次に画像データ２が記録された際には画像データ２の属性情報Ｂとともに画像属性指標２を記録する。同様に、画像データ３が記録された際には、画像データ３の属性情報Ｃとともに画像属性指標３を記録する。
【００３９】
図６は、記録処理を行った際の内部記録媒体１０４に記録する画像データの所定の様式を示す。ＳＯＩマーカの直後に、ＣＯＭマーカ、画像属性指標を記録する。次に、ＤＱＴマーカ、量子化テーブル定義セグメント、ＤＨＴマーカ、ハフマンテーブル定義セグメント、ＳＯＦマーカ、フレーム、ＥＯＩマーカという順の様式とする。なお、図６に示す様式は本実施の形態で用いた例であり、異なった様式をとることもある。
【００４０】
以下、本実施の形態における撮像データの記録および再生時における動作処理手順の一例について、説明する。
【００４１】
入力信号である撮像データが符号化部１０１に供給されると、符号化部１０１は、撮像データに対して従来技術と同様の符号化処理を行う。その際に、復号化するのに必要な属性情報を展開した状態で保持する。必要な属性情報としては、画像サイズ、成分数、各ヘッダー長等が考えられる。量子化テーブル、ハフマンテーブルは、典型的なテーブルを使用することから、テーブルＩＤを保持する。
【００４２】
システム制御部１０５は、ユーザによって撮影が行われたことの通知を受け、画像データ１の属性情報領域に画像属性指標１を記録した上で、その画像データ１を内部記録媒体１０４に記録する。次に、属性情報Ａとともに画像属性指標１を共有記録媒体１０２に記録する。２枚目の撮像データが符号化部１０１に供給された場合は、共有記録媒体１０２に画像属性指標２とともに画像データ２の属性情報Ｂを記録する。３枚目の撮像データが供給された場合は、共有記録媒体１０２に画像属性指標３とともに画像データ３の属性情報Ｃを記録する。
【００４３】
再生処理では、システム制御部１０５から復号化部１０３へ再生の通知を受け、内部記録媒体１０４に格納されている画像データの再生処理を行う。上述した記録処理の動作例で記録した画像データの再生処理を行う場合、画像データ１を再生する処理では、内部記録媒体１０４に記録されている画像データをシステム制御部１０５を介して復号化する画像データとして受け取り、属性情報処理部３０１にて、画像データの属性情報領域に記録されている画像属性指標を抽出する。
【００４４】
画像データ１を再生する場合は、抽出した画像属性指標１に基づいて共有記録媒体１０２を検索し、画像属性指標１に対応する属性情報Ａを読み出し、属性情報Ａの各ヘッダー長に基づいて、再生する画像データの属性情報領域をスキップし、符号化データの先頭まで進んで、復号化処理部３０２は属性情報Ａに基づいて符号化データに対して従来技術と同様の復号化処理を行い、その表示を行う。この場合に、属性情報は圧縮されることなく展開された状態となっていることから、属性情報の解析は必要でない。次に画像データ２を再生する場合は、属性情報処理部３０１にて抽出した画像属性指標２に対応する属性情報Ｂを読み出し、属性情報Ｂの各ヘッダー長に基づいて、再生する画像データの属性情報領域をスキップし、属性情報Ｂを用いて復号化処理を行う。
【００４５】
なお、本実施の形態では、画像属性指標を画像データの属性情報領域に記録し、管理しているが、システム制御部等で管理を行ってもよい。
【００４６】
以上のように本実施の形態によれば、各画像データの復号化処理に必要な属性情報を、符号化部１０１と復号化部１０３の共有記録媒体１０２に記録し、当該画像データに関する属性情報の指標とともに画像データの符号化データを内部記録媒体１０４に記録することにより、規定の様式に従って記録する符号化処理において、撮像データの属性情報を作成する処理を省くことができ、高速な符号化処理を可能とする。
【００４７】
また、再生時には共有記録媒体１０２を参照するもので、属性情報は圧縮されることなく展開された状態となっていることから、属性情報を解析する処理は省くことができ、復号化処理の高速処理が可能となる。
【００４８】
さらに、内部記録媒体１０４に符号化データとともに記録するものを画像属性指標に制限し、属性情報は記録しないので、内部記録媒体１０４の効率化が図ることができる。
【００４９】
（実施の形態２）
本発明の実施の形態２は、符号化部で用いられた属性情報中の各属性の組み合わせごとに指標の割り当てを行い、その指標を画像データの所定の位置に挿入するものである。本明細書では、本実施の形態における指標（各属性の組み合わせごとの指標）を“属性組合せ指標”と呼ぶことにする。
【００５０】
図７は、本発明の実施の形態２における画像記録／再生装置の構成を示すブロック図である。なお、本実施の形態に直接関係しない他の構成部位、例えば撮像デバイス、Ａ／Ｄ変換部等は図示していないが、勿論設けられている。
【００５１】
図７において、４０１は入力信号である撮像データを符号化処理により圧縮し、得られた画像データを内部記録媒体４０４に記録する符号化部、４０２は符号化／復号化する際に必要となる属性情報を格納するもので、符号化部４０１と復号化部４０３で共有される共有記録媒体、４０３は画像表示を行うために復号化処理を行う復号化部、４０４は符号化部４０１によって符号化された符号化データを記録する内部記録媒体である。４０５はシステム制御部であって、このシステム制御部４０５は、記録処理の開始指示通知、撮影通知、撮影モードへの切替え指示通知、撮影で取得した画像データの内部記録媒体４０４への記録、内部記録媒体４０４に格納されている画像データを復号化部４０３へ転送する等の制御、再生処理の開始指示等を行うように構成されている。なお、本実施の形態に直接関係しない他の構成部位の制御も勿論行っている。符号化部４０１およびシステム制御部４０５が特許請求の範囲にいう「記録手段」に対応し、復号化部４０３およびシステム制御部４０５が特許請求の範囲にいう「再生手段」に対応している。
【００５２】
図８は、図７における符号化部４０１の機能構成図である。属性組合せ指標割当部５０１は、符号化部４０１で用いられた属性情報中の各属性の組み合わせごとの指標である属性組合せ指標の割り当てを行い、属性組合せ指標挿入部５０２は、所定の位置に属性組合せ指標を格納する。また、属性情報を展開した状態で、システム制御部４０５を介して共有記録媒体４０２に格納する。本実施の形態においては、属性情報の量子化テーブルおよびハフマンテーブルは、使用したテーブルＩＤを格納する。次に符号化処理部５０３では、入力信号の撮像データが入力され、従来技術と同様の符号化処理を行い、符号化データを出力する。
【００５３】
但し、規定された様式にする処理を省いており、図９で示すように、画像データの先頭から、ＳＯＩマーカ、属性組合せ指標、ＳＯＳマーカ、符号化データ、ＥＯＩマーカの順とする所定の様式で内部記録媒体４０４に格納する。もっとも、必ずしも図９の構成をとる必要はなく、画像データに記録されている属性組合せ指標と符号化データの始まりが分かる所定の様式で格納すればよい。
【００５４】
図１０は、図７における復号化部４０２の機能構成図である。属性組合せ指標検索部６０１は、共有記録媒体４０２に記録された画像データの属性組合せ指標の検索を行い、検索で抽出した属性組合せ指標に基づいて内部記録媒体４０４の属性情報を検索する。また、復号化処理部６０２は、検索で得られた属性情報を用いて、内部記録媒体４０４に記録されている符号化データを復号化し、復号化データを画像表示する。
【００５５】
上述のように、属性組合せ指標に基づいて属性情報を検索するもので、検索された属性情報は圧縮されることなく展開された状態となっていることから、属性情報を解析する必要がなく、復号化処理の高速化が図れる。また、外部記録媒体の撮像データの画像表示要求が来た場合においても、図９に示すような所定の様式であるか否かを判定しているので、所定の様式でない場合、通常の復号化処理を行うことも可能である。復号化部として、内部記録媒体用と外部記録媒体用の２つを有する構成をとることも考えられる。
【００５６】
図１１は、共有記録媒体４０２上に格納されている属性情報の例を示す。これは、ＪＰＥＧ（Joint Photographic CodingExperts Group）におけるベースライン方式であり、ＪＰＥＧフォーマットにおけるフレームヘッダの画像サイズ以外は一意に決定することができる。また、量子化テーブルおよびハフマンテーブルは、規格書に記述されている典型的なテーブル等を実装しており、使用テーブルを示すテーブルＩＤのみを示している。なお、典型的なテーブルだけでなく、撮影モード固有のテーブルを実装しておくことも可能である。
【００５７】
図１１に示すように属性組合せ指標１に対しては画像サイズＩＤが１（１２８０×９６０）であり、属性組合せ指標２に対しては画像サイズＩＤが２（６４０×４８０）であり、属性組合せ指標３に対しては画像サイズＩＤが３（３２０×２４０）であり、Ｙ，Ｕ，Ｖの成分ごとに量子化テーブルＩＤ、ハフマンテーブルＩＤを格納しておく。共有記録媒体４０２上には画像サイズ、量子化テーブルおよびハフマンテーブルのテーブルＩＤを格納するが、必要に応じて他の属性情報を格納してもよい。
【００５８】
図１２は、符号化部４０１における属性組合せ指標割当部５０１のフローチャートを示す。入力信号である撮像データが符号化部４０１に供給された場合、共有記録媒体４０２に記録されている各属性組合せ指標に対応する属性情報の数の分だけ繰り返す（ステップＳ１１）。属性情報が属性組合せ指標に対応する属性情報と一致か否かの判定を行い（ステップＳ１２）、記録されている属性組合せ指標に対応する属性情報と一致しない場合は、共有記録媒体４０２に新規の属性組合せ指標と属性情報を格納する（ステップＳ１３）。一致した場合は、一致した属性組合せ指標を内部記録媒体４０４に記録する際に用いる（ステップＳ１４）。これにより、属性情報中の各属性の組み合わせごとに指標の割り当てが行われることになる。
【００５９】
図１３は、符号化部４０１における属性組合せ指標挿入部５０２のフローチャートを示す。内部記録媒体４０４に記録する所定の様式で格納するために、ＳＯＩマーカを格納し（ステップＳ２１）、属性組合せ指標割当部５０１で取得した属性組合せ指標を格納し（ステップＳ２２）、次にＳＯＳマーカの順で格納し（ステップＳ２３）、処理を終了する。
【００６０】
図１４は、復号化部４０２における属性組合せ指標検索部６０１のフローチャートを示す。内部記録媒体４０４に記録されている画像データの復号化処理を行う前に、画像データの属性情報を示す属性組合せ指標を検索する。内部記録媒体４０４では、図９に示す所定の様式で格納されていることから、ＳＯＩマーカを読み出し（ステップＳ３１）、ＳＯＩマーカの次に格納されている属性組合せ指標を読み出す（ステップＳ３２）。次に格納されているデータがＳＯＳマーカであるか否かの判定を行う（ステップＳ３３）。ＳＯＳマーカである場合は、属性組合せ指標から属性情報を参照して復号化処理を行う。ＳＯＳマーカでない場合は、通常の復号化処理を行う。
【００６１】
図１５は、記録処理におけるフローチャートを示す。入力信号である撮像データが符号化部４０１に供給された場合、属性組合せ指標割り当ての処理（ステップＳ４１）にて、属性組合せ指標を決定する。次に、属性組合せ指標挿入の処理（ステップＳ４２）にて、所定の様式で格納するために、ＳＯＩマーカ、次に前記の属性組合せ指標割り当ての処理（ステップＳ４１）で得られた属性組合せ指標、ＳＯＳマーカの順で内部記録媒体４０４に格納する。既知の技術である符号化処理（ステップＳ４３）にて、供給された撮像データを符号化データに圧縮し、内部記録媒体４０４に記録し、符号化データの最後にＥＯＩマーカを格納することで（ステップＳ４４）、記録処理を終了する。
【００６２】
図１６は、再生処理におけるフローチャートを示す。属性組合せ指標検索部６０１は内部記録媒体４０４に格納されている画像データの属性組合せ指標を検索し（ステップＳ５１）、属性組合せ指標に基づいて属性情報を参照して復号化処理を行うか否かの判定を行う（ステップＳ５２）。属性組合せ指標に基づいて属性情報を参照する復号化処理の場合は、共有記録媒体４０２に格納されている属性組合せ指標に対応する属性情報を読み出し（ステップＳ５３）、属性情報を用いて復号化処理を行う（ステップＳ５４）。外部記録媒体に格納されている通常の復号化処理の場合は、画像データの属性情報の解析を行った上で、復号化処理を行い（ステップＳ５５）、画像表示を行う（ステップＳ５６）。
【００６３】
以下、本実施の形態における撮像データの記録および再生時における動作処理手順の一例について、図１５および図１６のフローチャートを参照しながら説明する。
【００６４】
システム制御部４０５は、撮影モードの条件を符号化部４０１へ通知を行う。その条件は、例えば、画像サイズＩＤを１、Ｙ成分量子化テーブルＩＤを０、Ｕ成分量子化テーブルＩＤを１、Ｖ成分量子化テーブルＩＤを１、Ｙ−ＤＣ成分ハフマンテーブルＩＤを０、Ｙ−ＡＣ成分ハフマンテーブルＩＤを１、Ｕ−ＤＣ成分ハフマンテーブルＩＤを０、Ｕ−ＡＣ成分ハフマンテーブルＩＤを１、Ｖ−ＤＣ成分ハフマンテーブルＩＤを０、Ｖ−ＡＣ成分ハフマンテーブルＩＤを１とする撮影モードであるとする（図１７（ａ）参照）。
【００６５】
次にユーザがシャッターを押下すると、システム制御部４０５は、撮影が行われた旨の通知を符号化部４０１に与える。そして、１枚目の画像データが符号化部４０１に供給され、属性組合せ指標割当部５０１による処理（ステップＳ４１）にて、属性組合せ指標１および属性情報が共有記録媒体４０２に記録され（図１７（ａ）参照）、属性組合せ指標挿入部５０２による処理（ステップＳ４２）で、ＳＯＩマーカ、次いで前記割当処理で得られた属性組合せ指標、ＳＯＳマーカの順で格納する。次に符号化処理部５０３による処理（ステップＳ４３）を行い、最後にＥＯＩマーカを格納し、記録処理を終了する。
【００６６】
そして、２枚目の画像データが符号化部４０１に供給された際に、撮影モードが変更されたとする。この場合、システム制御部４０５は、符号化部４０１に対して撮影モードの変更の旨を通知する。例えば、画像サイズＩＤを１から２にする変更である。その結果は、画像サイズＩＤが２、Ｙ成分量子化テーブルＩＤが０、Ｕ成分量子化テーブルＩＤが１、Ｖ成分量子化テーブルＩＤが１、Ｙ−ＤＣ成分ハフマンテーブルＩＤが０、Ｙ−ＡＣ成分ハフマンテーブルＩＤが１、Ｕ−ＤＣ成分ハフマンテーブルＩＤが０、Ｕ−ＡＣ成分ハフマンテーブルＩＤが１、Ｖ−ＤＣ成分ハフマンテーブルＩＤが０、Ｖ−ＡＣ成分ハフマンテーブルＩＤが１の撮影モードとなる（図１７（ｂ）参照）。
【００６７】
共有記録媒体４０２に１枚目の属性情報のみが格納されている場合は、属性組合せ指標割り当ての処理（ステップＳ４１）では属性情報が一致する属性情報がないことから、図１７（ｂ）に示すように新規の属性組合せ指標２および新規属性情報が格納される。そして、属性組合せ指標挿入の処理（ステップＳ４２）、符号化処理（ステップＳ４３）、ＥＯＩマーカの格納（ステップＳ４４）を行い、記録処理を終了する。
【００６８】
さらに、ユーザが撮影する画像サイズを図１７（ａ）に示すような条件に変更したとする。すなわち、３枚目は１枚目と同じ条件となる。この場合、システム制御部４０５は符号化部４０１に対して撮影モード（画像サイズ）の変更通知を知らせる。３枚目の撮像データが符号化部４０１に供給され、属性組合せ指標割り当ての処理（ステップＳ４１）によって、属性組合せ指標２が１枚目と同じ属性組合せ指標１となり、以降同様の処理を行う。
【００６９】
上述のような処理を行った場合、内部記録媒体４０４には図１８のような撮像データが格納される。
【００７０】
再生での処理は、システム制御部４０５から再生の通知を受けた復号化部４０３は、内部記録媒体４０４に格納されている画像データの再生処理を行う。
【００７１】
例えば、記録処理の動作例の場合の、図１８における画像データ１を再生する処理は、次のようになる。
【００７２】
復号化部４０３は、内部記録媒体４０４に記録されている画像データ１をシステム制御部４０５を介して受け取る。そして、図１６における属性組合せ指標検索の処理（ステップＳ５１）で属性組合せ指標１を抽出し、属性組合せ指標による復号化処理であることを確認し（ステップＳ５２）、共有記録媒体４０２に格納されている属性組合せ指標１に対応した属性情報を読み込む（ステップＳ５３）。次に復号化処理（ステップＳ５４）で読み込んだ属性情報を基に復号化処理を行い、画像表示を行う。
【００７３】
次に画像データ２の再生処理を行う場合は、同様に属性組合せ指標検索の処理（ステップＳ５１）で属性組合せ指標２を抽出し、属性組合せ指標による復号化処理であることを確認し（ステップＳ５２）、共有記録媒体４０２から属性組合せ指標２の属性情報を読み出し（ステップＳ５３）、復号化処理（ステップＳ５４）で読み出した属性情報を基に復号化処理を行い、画像表示を行う。
【００７４】
画像データ３の再生処理を行う場合は、画像データ１と同様な処理を行い、画像表示を行う。
【００７５】
（実施の形態３）
上記の実施の形態２では、ひとつの属性組合せ指標で管理されている。これに対して、本発明の実施の形態３は、各属性情報に指標（属性単位指標）を設け、各属性単位指標を抽出し、属性単位指標に基づいて共有記録媒体に格納されている属性情報を読み出す。また、再生処理では各属性単位指標を抽出し、属性単位指標に基づいて共有記録媒体に記録されている属性情報を参照し、復号化し、画像表示を行うものである。本明細書では、本実施の形態における指標（各属性情報ごとの指標）を“属性単位指標”と呼ぶことにする。
【００７６】
図１９は、本発明の実施の形態３における画像記録／再生装置の構成を示すブロック図である。なお、本実施の形態に直接関係しない他の構成部位、例えば撮像デバイス、Ａ／Ｄ変換部等は図示していないが、勿論設けられている。
【００７７】
図１９において、７０１は入力信号である撮像データを符号化処理により圧縮し、得られた画像データを内部記録媒体７０４に記録する符号化部、７０２は符号化／復号化する際に必要となる属性情報を格納するもので、符号化部７０１と復号化部７０３で共有される共有記録媒体、７０３は画像表示を行うために復号化処理を行う復号化部、７０４は符号化部７０１によって符号化された符号化データを記録する内部記録媒体である。７０５はシステム制御部であって、このシステム制御部７０５は、記録処理の開始指示通知、撮影通知、撮影モードへの切替え指示通知、撮影で取得した画像データの内部記録媒体７０４への記録、内部記録媒体７０４に格納されている画像データを復号化部へ転送する等の制御、再生処理の開始指示等を行うように構成されている。なお、本実施の形態に直接関係しない他の構成部位の制御も勿論行っている。符号化部７０１およびシステム制御部７０５が特許請求の範囲にいう「記録手段」に対応し、復号化部７０３およびシステム制御部７０５が特許請求の範囲にいう「再生手段」に対応している。
【００７８】
本実施の形態の特徴は、ひとつの属性組合せ指標で管理される実施の形態２とは異なり、符号化部７０１において、各属性単位指標に基づいて共有記録媒体７０２を検索し、属性単位指標に対応する各属性情報を読み出すことである。また、復号化部７０３において、再生処理で、各属性単位指標に基づいて共有記録媒体７０２に記録されている属性情報を参照し、復号化し、画像表示を行うことである。
【００７９】
図２０は、本実施の形態における内部記録媒体７０４に記録されている画像データの所定の様式を示す。ＳＯＩマーカ、画像サイズ指標、Ｙ成分量子化テーブル指標、Ｕ成分量子化テーブル指標、Ｖ成分量子化テーブル指標、Ｙ―ＤＣ成分ハフマンテーブル指標、Ｙ−ＡＣ成分ハフマンテーブル指標、Ｕ−ＤＣ成分ハフマンテーブル指標、Ｕ−ＡＣ成分ハフマンテーブル指標、Ｖ−ＤＣ成分ハフマンテーブル指標、Ｖ−ＡＣ成分ハフマンテーブル指標、ＳＯＳマーカ、符号化データ、ＥＯＩマーカの順で、内部記録媒体７０４に記録される。なお、上述した属性情報以外の属性情報の指標を含めた様式でもよい。
【００８０】
図２１は、図１９における符号化部７０１の機能構成図である。属性単位指標挿入部８０１は、ＳＯＩマーカ、画像サイズ指標、Ｙ成分量子化テーブル指標、Ｕ成分量子化テーブル指標、Ｖ成分量子化テーブル指標、Ｙ−ＤＣ成分ハフマンテーブル指標、Ｕ−ＡＣ成分ハフマンテーブル指標、Ｖ−ＡＣ成分ハフマンテーブル指標の挿入を行う。次に、符号化処理部８０２において、入力信号である撮像データに対して従来技術と同様の符号化処理を行い、ＳＯＳマーカ、符号化データ、ＥＯＩマーカの順で格納する。
【００８１】
図２２は、図１９における復号化部７０３の機能構成図である。属性単位指標検索部９０１は、画像サイズ指標、Ｙ成分量子化テーブル指標、Ｕ成分量子化テーブル指標、Ｖ成分量子化テーブル指標、Ｙ−ＤＣ成分ハフマンテーブル指標、Ｕ−ＡＣ成分ハフマンテーブル指標、Ｖ−ＡＣ成分ハフマンテーブル指標の抽出を行い、抽出された属性単位指標に基づいて内部記録媒体７０４に記録されている属性情報を検索する。検索された属性情報を用いて、復号化処理部９０２で復号処理を行う。
【００８２】
図２３は、図２１における属性単位指標挿入部８０１の本実施の形態で用いたフローチャートを示す。画像データの先頭からＳＯＩマーカの格納（ステップＳ６１）、画像サイズ指標の格納（ステップＳ６２）、Ｙ成分量子化テーブル指標の格納（ステップＳ６３）、Ｕ成分量子化テーブル指標の格納（ステップＳ６４）、Ｖ成分量子化テーブル指標の格納（ステップＳ６５）を順次行う。次に、各成分のハフマンテーブル指標について、Ｙ−ＤＣ成分ハフマンテーブル指標の格納（ステップＳ６６）、Ｙ−ＡＣ成分ハフマンテーブル指標の格納（ステップＳ６７）、Ｕ−ＤＣ成分ハフマンテーブル指標の格納（ステップＳ６８）、Ｕ−ＡＣ成分ハフマンテーブル指標の格納（ステップＳ６９）、Ｖ−ＤＣ成分ハフマンテーブル指標の格納（ステップＳ７０）、Ｖ−ＡＣ成分ハフマンテーブル指標（ステップＳ７１）の格納、ＳＯＳマーカの格納（ステップＳ７２）を順次行う。次にＳＯＳマーカを格納し、終了する。
【００８３】
図２４は、図２２における属性単位指標検索部９０１のフローチャートを示す。内部記録媒体７０４に記録されている画像データの復号化処理を行う前に、画像データの各属性情報を示す各属性単位指標を検索する。内部記録媒体７０４には、画像データが図２０に示す所定の様式で格納されている。そこで、ＳＯＩマーカの読み出し（ステップＳ８１）、次に格納されている画像サイズ指標の読み出し（ステップＳ８２）、各成分の量子化テーブルの読み出しを行う。量子化テーブル指標の読み出しは、Ｙ成分量子化テーブルの読み出し（ステップＳ８３）、Ｕ成分量子化テーブルの読み出し（ステップＳ８４）、Ｖ成分量子化テーブルの読み出し（ステップＳ８５）を順次行う。次に各ハフマンテーブル指標の読み出しを行う。Ｙ−ＤＣ成分ハフマンテーブル指標の読み出し（ステップＳ８６）、Ｙ−ＡＣ成分ハフマンテーブル指標の読み出し（ステップＳ８７）、Ｕ−ＤＣ成分ハフマンテーブル指標の読み出し（ステップＳ８８）、Ｕ−ＡＣ成分ハフマンテーブル指標の読み出し（ステップＳ８９）、Ｖ−ＤＣ成分ハフマンテーブル指標の読み出し（ステップＳ９０）、Ｖ−ＡＣ成分ハフマンテーブル指標の読み出し（ステップＳ９１）を順次行う。
【００８４】
ここで、次に格納されているデータがＳＯＳマーカであるか否かの判定を行う（ステップＳ９２）。ＳＯＳマーカである場合は、属性単位指標から属性情報を参照して復号化処理を行う。ＳＯＳマーカでない場合は、通常の復号化処理を行う。
【００８５】
以下、本実施の形態の画像記録／再生装置における撮像データの記録および再生時における動作処理手順の一例について、図２５（ａ）および図２５（ｂ）を参照しながら、説明する。
【００８６】
システム制御部７０５は、撮影モードの条件を符号化部７０１へ通知を行う。その条件は、例えば、画像サイズＩＤを１、Ｙ成分量子化テーブルＩＤを０、Ｕ成分量子化テーブルＩＤを１、Ｖ成分量子化テーブルＩＤを１、Ｙ−ＤＣ成分ハフマンテーブルＩＤを０、Ｙ−ＡＣ成分ハフマンテーブルＩＤを１、Ｕ−ＤＣ成分ハフマンテーブルＩＤを０、Ｕ−ＡＣ成分ハフマンテーブルＩＤを１、Ｖ−ＤＣ成分ハフマンテーブルＩＤを０、Ｖ−ＡＣ成分ハフマンテーブルＩＤとする撮影モードであるとする（図２５（ａ）参照）。
【００８７】
次にユーザがシャッターを押下すると、システム制御部７０５は、撮影が行われた旨の通知を符号化部７０１に与える。そして、１枚目の撮像データが符号化部７０１に供給され、属性単位指標挿入部８０１による処理で、ＳＯＩマーカ、各属性単位指標、ＳＯＳマーカの順で共有記録媒体７０２に格納する。次に符号化処理を行い、最後にＥＯＩマーカを格納し、記録処理を終了する。内部記録媒体７０４に記録された画像データ１を図２５（ａ）に示す。
【００８８】
そして、２枚目の画像データが符号化部７０１に供給された際に、撮影モードが変更されたとする。この場合、システム制御部７０５は、符号化部７０１に対して撮影モードの変更の旨を通知する。例えば、画像サイズＩＤを１から２にする変更である。その結果、画像サイズＩＤが２、Ｙ成分量子化テーブルＩＤが０、Ｕ成分量子化テーブルＩＤが１、Ｖ成分量子化テーブルＩＤが１、Ｙ−ＤＣ成分ハフマンテーブルＩＤが０、Ｙ−ＡＣ成分ハフマンテーブルＩＤが１、Ｕ−ＤＣ成分ハフマンテーブルＩＤが０、Ｕ−ＡＣ成分ハフマンテーブルＩＤが２、Ｖ−ＤＣ成分ハフマンテーブルＩＤが０、Ｖ−ＡＣ成分ハフマンテーブルＩＤが２の撮影モードとなる（図２５（ｂ）参照）。
【００８９】
（実施の形態４）
図２６は、本発明の実施の形態４における画像記録／再生装置の構成を示すブロック図である。なお、本実施の形態に直接関係しない他の構成部位、例えば撮像デバイス、Ａ／Ｄ変換部等は図示していないが、勿論設けられている。
【００９０】
図２６において、１００１は入力信号である撮像データを符号化処理により圧縮し、得られた画像データを内部記録媒体１００４に記録する符号化部、１００２は符号化／復号化する際に必要となる属性情報を格納するもので、符号化部１００１と復号化部１００３で共有される共有記録媒体、１００３は画像表示を行うために復号化処理を行う復号化部、１００４は符号化部１００１によって符号化された符号化データを記録する内部記録媒体である。
【００９１】
新たな構成要素としての１００５は内部記録媒体１００４に記録された画像データを外部記録媒体１００６に記録する際に、撮像データのファイルヘッダー領域に付属情報、属性情報領域に属性情報を書き込み、外部記録媒体１００６に記録するヘッダー情報付加部である。外部記録媒体１００６上への様式としては、例えばＪＥＩＤＡのＩＣメモリーカードのＤＳＣファイル規格に従って記録してもよい。
【００９２】
１００７はシステム制御部であり、このシステム制御部１００７は、記録処理の開始指示通知、撮影通知、撮影モードへの切替え指示通知、撮影で取得した画像データの内部記録媒体１００４への記録、内部記録媒体１００４に格納されている画像データを復号化部１００３へ転送する等の制御、再生処理の開始指示、外部記録媒体１００６への記録指示等を行うように構成されている。なお、本実施の形態に直接関係しない他の構成部位の制御も勿論行っている。符号化部１００１およびシステム制御部１００７が特許請求の範囲にいう「記録手段」に対応し、復号化部１００３およびシステム制御部１００７が特許請求の範囲にいう「再生手段」に対応している。
【００９３】
図２７に示すように、内部記録媒体１００４に記録されている画像データを外部記録媒体１００６に記録する処理は、次のように行われる。画像データからＳＯＩマーカを読み出し（ステップＳ１０１）、属性組合せ指標または属性単位指標を読み出す（ステップＳ１０２）。読み出した属性組合せ指標または属性単位指標に基づいて共有記録媒体１００２を検索し、その指標に対応する属性情報を特定する（ステップＳ１０３）。次に、内部記録媒体１００４に記録されている画像データの属性情報領域に、規定の様式で属性情報を記録する（ステップＳ１０４）。次に、符号化データを外部記録媒体１００６に格納し（ステップＳ１０５）、最後にＥＯＩマーカを格納し（ステップＳ１０６）、処理を終了する。上述した処理により、図２８で示すようなＪＰＥＧベースライン規格に規定された様式で、画像データが外部記録媒体１００６に格納される。
【００９４】
例えば、図２８に示すような属性組合せ指標が記録されていた際に、内部記録媒体１００４に記録されている属性組合せ指標および符号化データを外部記録媒体１００６に記録を行う場合は、次のような処理となる。
【００９５】
外部記録指示を受けたシステム制御部１００７は、内部記録媒体１００４に格納されている属性組合せ指標および符号化データを読み出し、ヘッダー情報付加部１００５に供給する。ヘッダー情報付加部１００５は、供給された属性組合せ指標が属性組合せ指標１の場合は、属性組合せ指標１に対応する属性情報を共有記録媒体１００２において特定し、特定した属性情報を用いてＪＰＥＧベースライン規格に規定された画像データの様式に変換する。その様子を図２９に示す。
【００９６】
また、ヘッダー情報付加部１００５に供給された属性組合せ指標が属性組合せ指標２である場合は、共有記録媒体１００２から属性組合せ指標２に対応する属性情報を特定し、特定した属性情報を用いて同様の様式に変換する。
【００９７】
なお、実施の形態３で示した属性単位指標の場合においても同様に、各属性の属性単位指標から属性情報を特定し、特定した属性情報を用いて規定の様式に変換する。
【産業上の利用可能性】
【００９８】
上述したように、本発明の画像記録／再生装置は、復号化処理に必要な属性情報を、共有記録媒体に格納し、再生時には、共有記録媒体に格納されている属性情報を参照することで符号化データを復号化処理するが、この場合に、属性情報は圧縮されることなく展開された状態となっていることから、復号化処理において属性情報の解析処理を行う必要はなくなる。また、内部記録媒体に符号化データとともに記録するのは、属性情報ではなく、属性情報の指標であることから、内部記録媒体を効率的に使用することができ、符号化処理における属性情報をヘッダー領域に格納する処理を行うことなく、符号化処理が可能である。それゆえ、本発明の画像記録／再生装置・画像記録／再生方法は、カメラ付き携帯電話およびディジタルスチルカメラ等に有用である。
【図面の簡単な説明】
【００９９】
【図１】本発明の実施の形態１における画像記録／再生装置の構成を示すブロック図
【図２】実施の形態１の画像記録／再生装置における符号化部の主な機能を示す構成図
【図３】実施の形態１の画像記録／再生装置における復号化部の主な機能を示す構成図
【図４】実施の形態１の復号化部における処理手順を示すフローチャート
【図５】実施の形態１の共有記録媒体に記録する属性情報の動作の一例を示す図
【図６】実施の形態１の内部記録媒体に記録する画像データの様式一例を示す図
【図７】本発明の実施の形態２における画像記録／再生装置の構成を示すブロック図
【図８】実施の形態２の画像記録／再生装置における符号化部の主な機能を示す構成図
【図９】実施の形態２の画像記録／再生装置における内部記録媒体に記録する画像データの様式の一例を示す図
【図１０】実施の形態２の画像記録／再生装置における復号化部の主な機能を示す構成図
【図１１】実施の形態２の共有記録媒体に格納する指標および属性情報の構成の一例を示す図
【図１２】実施の形態２の属性組合せ指標割当部における処理手順を示すフローチャート
【図１３】実施の形態２の指標挿入処理手順を示すフローチャート
【図１４】実施の形態２の指標検索処理手順を示すフローチャート
【図１５】実施の形態２の記録処理手順を示すフローチャート
【図１６】実施の形態２の再生処理手順を示すフローチャート
【図１７】実施の形態２の共有記録媒体に記録されている指標の一例を示す図
【図１８】実施の形態２における内部記録媒体に記録した際の画像データの構成の一例を示す図
【図１９】本発明の実施の形態３における画像記録／再生装置の構成を示すブロック図
【図２０】実施の形態３の画像記録／再生装置における内部記録媒体に記録する画像データの様式の一例を示す図
【図２１】実施の形態３の符号化部における主な機能を示す構成図
【図２２】実施の形態３の復号化部における主な機能を示す構成図
【図２３】実施の形態３の指標挿入処理手順を示すフローチャート
【図２４】実施の形態３の指標検索処理手順を示すフローチャート
【図２５】実施の形態３の内部記録媒体に記録する画像データの一例を示す図
【図２６】本発明の実施の形態４における画像記録／再生装置の構成を示すブロック図
【図２７】実施の形態４のヘッダー情報付加処理手順を示すフローチャート
【図２８】実施の形態４における共有記録媒体に記録された属性組合せ指標の一例を示す図
【図２９】実施の形態４における外部記録媒体に記録した際の画像データの一例を示す図
【図３０】撮像データの名称の定義を示す図
【図３１】従来例における撮像データの付属属性を管理ファイルに格納する様子を示す図
【符号の説明】
【０１００】
１０１，４０１，７０１，１００１  符号化部
１０２，４０２，７０２，１００２  共有記録媒体
１０３，４０３，７０３，１００３  復号化部
１０４，４０４，７０４，１００４  内部記録媒体
１０５，４０５，７０５，１００７  システム制御部
２０１，５０３，８０２  符号化処理部
２０２  属性情報記録部
３０１  属性情報処理部
３０２，６０２，９０２  復号化処理部
５０１  属性組合せ指標割当部
５０２  属性組合せ指標挿入部
６０１  属性組合せ指標検索部
８０１  属性単位指標挿入部
９０１  属性単位指標検索部
１００５  ヘッダー情報付加部
１００６  外部記録媒体
【図１】
2005311537.tif 000003
【図２】
2005311537.tif 000004
【図３】
2005311537.tif 000005
【図４】
2005311537.tif 000006
【図５】
2005311537.tif 000007
【図６】
2005311537.tif 000008
【図７】
2005311537.tif 000009
【図８】
2005311537.tif 000010
【図９】
2005311537.tif 000011
【図１０】
2005311537.tif 000012
【図１１】
2005311537.tif 000013
【図１２】
2005311537.tif 000014
【図１３】
2005311537.tif 000015
【図１４】
2005311537.tif 000016
【図１５】
2005311537.tif 000017
【図１６】
2005311537.tif 000018
【図１７】
2005311537.tif 000019
【図１８】
2005311537.tif 000020
【図１９】
2005311537.tif 000021
【図２０】
2005311537.tif 000022
【図２１】
2005311537.tif 000023
【図２２】
2005311537.tif 000024
【図２３】
2005311537.tif 000025
【図２４】
2005311537.tif 000026
【図２５】
2005311537.tif 000027
【図２６】
2005311537.tif 000028
【図２７】
2005311537.tif 000029
【図２８】
2005311537.tif 000030
【図２９】
2005311537.tif 000031
【図３０】
2005311537.tif 000032
【図３１】
2005311537.tif 000033